(57)【要約】【課題】  自動原稿搬送装置と画像形成装置との位置調整において複雑な操作を必要とせず出力画像の不良や原稿の搬送不良等を起こさない簡略な構造の画像形成装置、及び画像形成装置と自動原稿読み取り装置の位置決め方法の提供を目的とする。【解決手段】  画像形成装置と自動原稿搬送装置との位置決めを行う位置決め手段と、原稿の画像を読み取る読み取り部と、読み取り後の原稿を自動原稿搬送装置内にすくい上げるすくい上げ部材を備えた画像形成装置において、前記位置決め手段と前記すくい上げ部材とが、前記自動原稿搬送装置と対向する前記画像形成装置の上面側に配設されると共に、連動可能に配設され、前記画像形成装置と前記自動原稿搬送装置との位置決め時に、前記位置決め手段の位置調整のみで前記画像形成装置と前記自動原稿搬送装置との位置決めを可能としたことを特徴とする画像形成装置。【選択図】        図１
2005156939.tif 000002
【特許請求の範囲】
【請求項１】
画像形成装置と自動原稿搬送装置との位置決めを行う位置決め部材を有する位置決め手段と、該位置決め手段で位置決めされた前記自動原稿搬送装置により搬送される原稿の画像を読み取る読み取り部と、読み取り後の原稿を自動原稿搬送装置内にすくい上げるすくい上げ部材を備えた画像形成装置において、
前記位置決め手段と前記すくい上げ部材とが、前記自動原稿搬送装置と対向する前記画像形成装置の上面側に配設されると共に、連動可能に配設され、
前記画像形成装置と前記自動原稿搬送装置との位置決め時に、前記位置決め手段の位置調整のみで前記画像形成装置と前記自動原稿搬送装置との位置決めを可能としたことを特徴とする画像形成装置。
【請求項２】
前記位置決め手段は板状をなし、画像形成装置上面に取り付け位置を変更可能に配設され、
前記位置決め手段の自動原稿搬送装置との対向面に、前記位置決め部材と前記すくい上げ部材とが、前記自動原稿搬送装置方向に突出するように配設され、
前記位置決め部材に対して前記すくい上げ部材が所定位置に配設されていることを特徴とする請求項１に記載の画像形成装置。
【請求項３】
原稿画像を読み取る読み取り部を有する画像形成装置と、自動原稿搬送装置との、位置決めを行う位置決め部材を有する位置決め手段、及び、原稿を自動原稿搬送装置内にすくい上げるすくい上げ部材が、一体的に配設され、
読み取り部の位置に対して前記位置決め手段の取り付け位置を変更した後、前記位置決め手段のみを前記画像形成装置に固定することにより、前記画像形成装置と前記自動原稿搬送装置との位置決めを可能としたことを特徴とする画像形成装置の位置決め方法。
【発明の詳細な説明】
【技術分野】
【０００１】
本発明は画像形成装置に関し、特に自動原稿搬送装置と画像形成装置との位置決めに関する。
【背景技術】
【０００２】
近年画像形成装置にそのオプションとして自動原稿搬送装置を設置し、自動原稿搬送装置で連続的に原稿を読み取り部に搬送し、搬送される原稿の画像を読み込み、読み込んだ画像を記憶し、記憶させた画像を読み出して連続してプリントを出力する画像形成装置が提案されてきた。（例えば、特許文献１参照。）。
【特許文献１】特開平９−８０８３９号公報（段落番号００３２〜００３７  図２）
【発明の開示】
【発明が解決しようとする課題】
【０００３】
従来の画像形成装置には、その上面に自動原稿搬送装置を位置決めする位置決めピンと、画像形成装置の読み取り位置に配設されたスリットガラス面に搬送される原稿を再度自動原稿搬送装置に搬送するすくい上げ部材とが備えられているものがある。
【０００４】
そして、自動原稿搬送装置には画像形成装置との位置決めのための前記位置決めピンが嵌入する位置決め穴があけられており、自動原稿搬送装置を画像形成装置にセットする場合は位置決めピンに位置決め穴を合わせて嵌入することにより位置決めを行っていた。
【０００５】
しかし、原稿読取装置の読み取り光学系（例えば後述する第１、２、３ミラー）は加工精度や組み付け精度により、原稿画像の読み取り位置において、読み取り光学系と自動原稿搬送装置による原稿の搬送方向とが必ずしも直角になるとは限らない。
【０００６】
直角とならない場合は読み込んだ画像データが歪んでしまい例えば四角の原稿画像が菱形となってしまう。
【０００７】
これを防止するため自動原稿搬送装置を光学系（例えば第１ミラー）に合わせて位置決めを行う必要が生ずる。
【０００８】
しかし、この微調整により、光学系（例えば第１ミラー）と原稿の搬送方向とは直角になるが、画像形成装置に配設されたすくい上げ部材は元の位置のままであるため自動原稿搬送装置の搬送ドラムとすくい上げ部材の間隙が変化してしまい、出力画像不良や原稿の搬送不良等を招いてしまう可能性があるといった問題があった。
【０００９】
本発明は、上記の課題に鑑みなされたもので、自動原稿搬送装置と画像形成装置との位置調整において複雑な操作を必要とせず、出力画像の不良や原稿の搬送不良等を起こさない、簡略な構造の画像形成装置、及び画像形成装置と自動原稿搬送装置の位置決め方法を提供することにある。
【課題を解決するための手段】
【００１０】
上記の目的は下記の手段により達成できる。
【００１１】
（１）画像形成装置と自動原稿搬送装置との位置決めを行う位置決め部材を有する位置決め手段と、該位置決め手段で位置決めされた前記自動原稿搬送装置により搬送される原稿の画像を読み取る読み取り部と、読み取り後の原稿を自動原稿搬送装置内にすくい上げるすくい上げ部材を備えた画像形成装置において、
前記位置決め手段と前記すくい上げ部材とが、前記自動原稿搬送装置と対向する前記画像形成装置の上面側に配設されると共に、連動可能に配設され、
前記画像形成装置と前記自動原稿搬送装置との位置決め時に、前記位置決め手段の位置調整のみで前記画像形成装置と前記自動原稿搬送装置との位置決めを可能としたことを特徴とする画像形成装置。
【００１２】
（２）前記位置決め手段は板状をなし、画像形成装置上面に取り付け位置を変更可能に配設され、
前記位置決め手段の自動原稿搬送装置との対向面に、前記位置決め部材と前記すくい上げ部材とが、前記自動原稿搬送装置方向に突出するように配設され、
前記位置決め部材に対して前記すくい上げ部材が所定位置に配設されていることを特徴とする請求項１に記載の画像形成装置。
【００１３】
（３）原稿画像を読み取る読み取り部を有する画像形成装置と、自動原稿搬送装置との、位置決めを行う位置決め部材を有する位置決め手段、及び、原稿を自動原稿搬送装置内にすくい上げるすくい上げ部材が、一体的に配設され、
読み取り部の位置に対して前記位置決め手段の取り付け位置を変更した後、前記位置決め手段のみを前記画像形成装置に固定することにより、前記画像形成装置と前記自動原稿搬送装置との位置決めを可能としたことを特徴とする画像形成装置の位置決め方法。
【発明の効果】
【００１４】
本発明により下記のような効果を奏する。
【００１５】
即ち、自動原稿搬送装置と画像形成装置との位置調整を行なう際に、複雑な操作を要することもなく、出力画像不良や原稿の搬送不良等を起こさない簡略な構造の画像形成装置及び画像形成装置と自動原稿読み取り装置の位置決め方法を提供することが可能となる。
【００１６】
自動原稿搬送装置と画像形成装置とを分離して行う自動原稿搬送装置と画像形成装置との位置調整において、複雑な操作を必要とせず、位置調整後にすくい上げ部材の再位置調整の必要もなく、位置調整を行っても出力画像の不良や原稿の搬送不良等を起こさず、
更に、部品点数を削減し、組み立て工数を削減し、トータルコストの削減を可能とする画像形成装置を提供することが可能になる。
【発明を実施するための最良の形態】
【００１７】
以下に本発明の実施の形態を説明するが、以下の、本発明の実施の形態における断定的な説明は、好ましい例を示すものであって、本発明の用語の意義や技術的範囲を限定するものではない。
本発明は、発明が解決しようとする課題の項で述べたような、自動原稿搬送装置の位置決めをする際に、自動原稿搬送装置を移動した時に画像形成装置に配設されたすくい上げ部材は元の位置のままであるため自動原稿搬送装置の搬送ドラムとすくい上げ部材の間隙が変化してしまい、出力画像不良や原稿の搬送不良等を招いてしまう可能性があるといった問題に対し、
位置決め手段（画像形成装置側の位置決めピン）と、すくい上げ部材とを同一の部材に取り付けることにより、位置決め位置の変更のために位置決めピンの移動を行なった場合、すくい上げ部材も位置決めピンと連動して移動させ、
移動した位置決めピンに、位置決め手段（自動原稿搬送装置側の位置決め穴）を嵌入させることにより、自動原稿搬送装置に配設された搬送ドラムと、すくい上げ部材とが同方向に同距離移動し搬送ドラムとすくい上げ部材の間隙が一定に保たれるようにしたものであります。
【００１８】
図１は本発明の実施の形態に係る、自動原稿搬送装置が接続された画像形成装置を示す図である。
【００１９】
自動原稿搬送装置は一般にオプションとして画像形成装置１に取り付けるものが多く、以下画像形成装置１に自動原稿搬送装置１０を取り付けた場合を例に挙げ説明するが、自動原稿搬送装置を画像形成装置内に一体としたものでも良い。
【００２０】
画像形成装置１は積載された原稿Ｄを１枚づつ分離して搬送する自動原稿搬送装置１０を備え、
自動原稿搬送装置１０の給紙皿１１は幅規制部材１２を有し、原稿の給紙方向と直交する幅方向が揃うように幅規制して原稿Ｄが積載される。
【００２１】
昇降可能な送り出しローラ対１４Ａは駆動源（図示せず）に接続されていて、給紙皿１１上に積載された原稿Ｄの上層の原稿を送り出す。
【００２２】
送り出しローラ対１４Ａの下流側に配置された分離給送ローラ対１４Ｂは、駆動源（図示せず）に接続されていて回転可能な送りローラと、トルクリミッタを有する停止ローラとからなる。
【００２３】
分離給送ローラ対１４Ｂの更に下流側に配置されたレジストローラ対１４Ｃは、駆動源（図示せず）に接続されていて回転可能なレジストローラと従動ローラとからなり、原稿読み取り領域Ｒへの原稿Ｄの給紙タイミングを調整する。
【００２４】
前記送り出しローラ対１４Ａ、分離給送ローラ対１４Ｂ、レジストローラ対１４Ｃの駆動源は例えばステッピングモータを使用できる。
【００２５】
レジストローラ対１４Ｃから排出された原稿Ｄは、案内板１６Ａに沿って矢印方向に搬送され、更に回転する大径の搬送ドラム１５と従動ローラ１６Ｂ、１６Ｃにより挟持されると共に、自動原稿搬送装置の筐体に固定されたガイド１８により案内されて、搬送ドラム１５の外周面に沿って搬送され、原稿読み取り領域Ｒに到達する。
【００２６】
原稿読み取り領域Ｒでは透明部材としてのスリットガラス１００と搬送ドラム１５とが対向する間隙を原稿Ｄが通過する時、画像形成装置１の読み取り部であり、位置決めされた自動原稿搬送装置１０により搬送される原稿の画像を読み取る原稿読取装置２０により、原稿の画像が読み取られる。
【００２７】
原稿読み取り領域Ｒを通過した原稿Ｄは、原稿Ｄを自動原稿搬送装置内（図示上側）にすくい上げて切替案内部材１７Ａに向けて搬送させるすくい上げ部材１３によりすくい上げられて、片面読み取りの場合は排紙皿１９上に排出されるように搬送され、両面読取の場合は、反転搬送されて再度原稿読み取り領域Ｒを経由してから排紙皿１９上に排紙される。
【００２８】
片面読取においては、読取後の原稿Ｄは切替案内部材１７Ａ、１７Ｂで案内されて排紙ローラ１７Ｃにより排紙皿１９上に排紙される。
【００２９】
また、両面読取の場合には、表面読取後の原稿Ｄは切替案内部材１７Ａにより反転搬送ローラ１７Ｄに案内された後に搬送方向を反転されて、再度搬送ドラム１５に搬送され、搬送ドラム１５により原稿読み取り領域Ｒに搬送されて裏面読取が行われる。
【００３０】
ここで、光源１０１及び第１ミラー１０２は一体に光学ユニットＵ１（以下走査ユニットＵ１とも記す）として形成され、第２，３ミラー１０４、１０５は一体に走査ユニットＵ２として形成される。
【００３１】
ここで、光源１０１は原稿Ｄを照明するキセノンランプ又は蛍光灯からなる主走査方向（原稿の搬送方向と直角方向）と平行に配設された長い管状の光源で、第１〜３ミラーはそれぞれ主走査方向と平行に配設された長い長方形のミラーで、光源１０１と第１〜３ミラーはそれぞれ平行に配設されている。
【００３２】
静止光学系型読取動作で原稿読み取り領域Ｒを搬送される原稿Ｄの画像を読取る際には、光源１０１は、主走査方向に長い長方形のガラス板からなるスリットガラス１００と搬送ドラム１５との間を搬送される原稿Ｄを照明し、原稿Ｄの反射光Ｌは第１、第２、第３ミラー１０２、１０４、１０５及び結像レンズ１０６を通過して結像され、撮像素子１０７に入射する。
【００３３】
移動光学系型読取動作でプラテンガラス４上に載置した原稿Ｄの画像を読取る際には、光源１０１及び第１ミラー１０２は移動可能な光学ユニットであるところの走査ユニットＵ１として副走査方向（原稿の搬送方向、図示左右方向）に破線で示すように移動するとともに、第２、第３ミラー１０４、１０５は走査ユニットＵ２として、走査ユニットＵ１の移動速度の１／２の移動速度で副走査方向に移動する。
【００３４】
撮像素子１０７はライン状のＣＣＤからなり、原稿Ｄで反射し、ミラーや結増レンズを介して導かれた光（原稿画像）を１画素毎に光電変換する。
【００３５】
給紙カセット８１には転写紙Ｐが積載されており、重送防止機構を備える給紙部８２で転写紙Ｐを一枚ずつ給紙経路８３に搬入する。
【００３６】
この給紙経路８３は画像形成部３０の上流に配置されるもので、レジストローラ８４を有している。
【００３７】
画像形成部３０は、感光体ドラム７１、帯電用電極７２、走査露光部７９、現像ユニット７３、転写用電極７４、分離用電極７５及び定着ユニット７８を有する。
【００３８】
感光体ドラム７１が矢印の向きに回転していて帯電用電極７２により一様の電位が付与され、原稿読取装置２０で読みまれたデジタル画像データに基づき走査露光部７９が回転中の感光体ドラム７１の表面を照射し、原稿Ｄに対応した静電潜像を形成し、ついで該静電潜像を現像ユニット７３により現像し、感光体ドラム７１の表面にトナー像を顕像化する。
【００３９】
レジストローラ８４が感光体ドラム７１の上に形成されたトナー像の回転に同期して駆動されて、転写紙Ｐは転写域（図示転写用電極７４上部）に送り込まれる。
【００４０】
転写域に送り込まれた転写紙Ｐに感光体ドラム７１に形成されたトナー像の転写がなされ、その後、転写紙Ｐは分離用電極７５と分離爪（図示せず）により感光体ドラム７１から分離され、更に搬送ユニット７７により定着ユニット７８に搬送される。
【００４１】
そしてクリーニングユニット７６が、転写後の感光体ドラム７１の表面を清掃して、異物や残留トナー等を除去する。
【００４２】
残留トナーが除去されると、再度帯電用電極７２が次の複写動作に備えて感光体ドラム７１の表面を帯電させる。
【００４３】
定着ユニット７８内では、転写紙Ｐとトナー像とが加熱・加圧されて、トナー像の定着が行われ、片面コピーの場合は排紙ローラ８５に挟持されて排紙トレー（図示せず）に送られる。
【００４４】
又、両面コピーの場合は、トナー像を定着済みの転写紙Ｐは搬送ローラ８６により反転搬送路８７に搬送され、反転搬送路８７で走行方向を反転された記録紙Ｐは搬送路８８を搬送されて給紙経路８３に搬入され、再度トナー像を転写、定着される。
【００４５】
次に、自動原稿搬送装置１０の位置決めについて説明する。
【００４６】
画像形成装置１は自動原稿搬送装置１０との位置決めを行う、少なくとも１対の位置決め部材（以下位置決め部材を位置決めピンとも記す）２０１を有する画像形成装置側の位置決め手段を備え、位置決めピン２０１に自動原稿搬送装置側の位置決め手段であるところの少なくとも１対の位置決め穴２０２が嵌入することにより、画像形成装置１に自動原稿搬送装置１０が位置決めされる。
【００４７】
そして、位置決めピン２０１は画像形成装置１の自動原稿搬送装置との対向面に移動可能に固定された位置決め板２０３に、自動原稿搬送装置側に突出するように設けられている。
【００４８】
又、すくい上げ部材１３が位置決め板２０３に配設されており、位置決め穴２０２が位置決めピン２０１に嵌入した状態で画像形成装置１の上に自動原稿搬送装置１０が載置されている時、搬送ドラム１５とすくい上げ部材１３とが略平行となり、搬送ドラム１５とすくい上げ部材１３との間を搬送される原稿Ｄがバタツキ等により搬送異常や読込みデータに異常をきたさない間隙ｄとなるように設定されている。
【００４９】
即ち、位置決めピン２０１とすくい上げ部材１３は一体的に構成されているため、連動して移動可能に配設されている。
【００５０】
又、画像形成装置と自動原稿搬送装置の位置決めのため、位置決め穴２０２が位置決めピン２０１に嵌入している時、大径の搬送ドラム１５に接して搬送される原稿Ｄの反射光Ｌが原稿読み取り領域Ｒの原稿の搬送方向と直角方向（紙面の表裏方向）全長に亘ってミラー１０５、１０４、１０２結像レンズ１０６を介して撮像素子１０７に結像し、結像した原稿画像が原稿の画像と一致するような（即ち矩形の原稿画像が菱形の原稿画像データとならないような、又、原稿画像の読み取り位置において、読み取り光学系と自動原稿搬送装置による原稿の搬送方向とが直角になる）位置に、位置決め穴２０２があけられている。
【００５１】
このように、撮像素子１０７に原稿の反射光が結像する、原稿の搬送方向と直角方向（紙面表裏方向）全長に亘る反射光の原稿読み取り領域Ｒの原稿の反射位置を以下原稿の読み取り位置と記す。
【００５２】
図２は本発明に係る位置決め板２０３の斜視図である。
【００５３】
位置決め手段であるところの位置決め板２０３は板状をなし、自動原稿搬送装置１０と対向する面上に、画像形成装置１に自動原稿搬送装置１０を位置決めする１対の位置決めピン２０１、及び、すくい上げ部材１３が配設されている。
【００５４】
ここで、すくい上げ部材１３はＣ方向から見た断面が略直角三角形状をなし、１辺が位置決め板２０３に固定され、他の１辺が円弧状をなし搬送ドラム１５に対向し、その間隙ｄが原稿Ｄの搬送経路を形成している。
【００５５】
位置決めピン２０１に対してすくい上げ部材１３は位置決めが行われた状態で、すくい上げ部材１３と搬送ドラムが前述した所定の間隙ｄとなるような位置に配設されている。
【００５６】
取り付けネジ２０４より直径の大きな取り付け穴２０５をあけることにより、位置決め板２０３は画像形成装置に対し移動可能に構成されており、位置決め板２０３を移動させることにより画像形成装置に対し原稿搬送装置の取り付け位置を変更可能にすること（位置出しすること（微調整））が可能となっている
ここで、直径の差は前述した原稿読取装置の読み取り光学系（例えば第１、２、３ミラー）の加工精度や組み付け精度による、読み取り光学系の最大位置ずれ寸法と等しいか僅かに大きな寸法としてある。
【００５７】
即ち位置決めピン２０１とすくい上げ部材１３を位置決め板２０３を介して連動可能とし、これにより位置決め手段の位置調整のみで画像形成装置と前記自動原稿搬送装置との位置決めを可能とし、画質異常や搬送異常を招くことなく、すくい上げ部材の再調整の必要性をなくし、自動原稿搬送装置の位置決め調整を容易化している。
【００５８】
また、位置決め板２０３と、位置決めピン２０１と、すくい上げ部材１３とはそれぞれ別の部材として説明したが一体的に構成（例えば射出成形）しても良い。
【００５９】
この場合は部品点数も削減でき、組み立て工数も削減でき、トータルコストの削減が可能となる。
【００６０】
図３は本発明に係る画像形成装置と自動原稿搬送装置の原稿読み取り領域Ｒ周辺の概念図である。
【００６１】
以下、画像形成装置と自動原稿搬送装置の原稿読み取り領域Ｒ周辺の構成と、画像形成装置に対する自動原稿搬送装置の位置決め方法を中心に説明する。
【００６２】
自動原稿搬送装置１０の画像形成装置１との対向面の筐体に、画像形成装置と自動原稿搬送装置との位置決めを行う位置決めピン２０１が嵌入する位置決め穴２０２があいている。
【００６３】
そして、自動原稿搬送装置１０の原稿読み取り領域Ｒ周辺には、自動原稿搬送装置１０の筐体に搬送ドラム１５と、原稿Ｄを案内するガイド１８と従動ローラ１６Ｃとが配設されている。
【００６４】
また、画像形成装置１の原稿読み取り領域Ｒ周辺には、前述した位置決めピン２０１とすくい上げ部材１３が固定された位置決め板２０３が画像形成装置１に配設されている。
【００６５】
そして、光源１０１によりスリットガラス１００を介し照射された原稿Ｄの画像の反射光Ｌ１は第１ミラー１０２により反射されて前述したように撮像素子１０７により読み取られる。
【００６６】
例えば、第１ミラー１０２の紙面表裏方向の一端のみがずれて第１ミラー１０３（図示点線）の位置にずれて斜めになってしまったような場合、図１のミラー１０４、１０５、１０２、及び結像レンズ１０６を介して撮像素子１０７に結像する反射光の一端は移動してしまい、出力画像が原稿の画像と一致しなくなるため自動原稿搬送装置１０の位置を調整することが必要となる。
【００６７】
図示しない基準面から第１ミラー１０２迄の距離を測定した結果、例えば、第１ミラー１０２の一端がｂ方向にｂ１寸法ずれて、１０３（図示点線）の位置にずれてしまっているような場合、図１のミラー１０４、１０５、１０２、及び結像レンズ１０６を介して撮像素子１０７に結像する反射光の一端はＬ１からＬ２に移動してしまっている。
【００６８】
この場合、自動原稿搬送装置１０をａ方向に持ち上げて（図示上方向）位置決めピン２０１から位置決め穴２０２を抜き去り、
自動原稿搬送装置１０の取り付け位置（前述した原稿の読み取り部の読み取り位置）の一端を移動した反射光Ｌ２に対応する位置に変更するため、取り付けネジ２０４をゆるめ、位置決め手段の一端をｂ方向にｂ１寸法だけ位置変更し、変更後に固定する。
【００６９】
そして、位置決めピン２０１に位置決め穴２０２が嵌入するように自動原稿搬送装置１０の位置を変更することにより自動原稿搬送装置の一端がｂ方向にｂ１寸法ずれて斜めになり、反射光Ｌ２に応じた位置に自動原稿搬送装置１０が位置決めされる。
【００７０】
又この時、すくい上げ部材１３も一端がｂ１寸法移動することになるので搬送ドラム１５とすくい上げ部材１３との間隙ｄは前述した所定距離に維持され、ずらした位置に合わせてすくい上げ部材を再度位置合わせする必要もない。
【００７１】
ここで、説明を容易にするため図示手前側のみずれている場合の位置決めをする方法について説明したが、位置決めピン２０１に対して位置決め穴２０２の直径が大きくしてあるので、原稿の搬送方向（水平方向）に対して前後、左右、斜めのいずれに位置決めできることは言うまでもない。
【００７２】
このような画像形成装置に対する自動原稿搬送装置の位置出し調整は、例えば工場の出荷時調整時、或いは自動原稿搬送装置を再設置時に行われるべきで、自動原稿搬送装置の再設置時には図１に示す操作部４０の表示手段（不図示）から、位置決め調整を行わせる要求警告を表示させても良い。
【図面の簡単な説明】
【００７３】
【図１】本発明の実施の形態に係る、自動原稿搬送装置が接続された画像形成装置を示す図である。
【図２】本発明に係る位置決め板２０３の斜視図である。
【図３】本発明に係る画像形成装置と自動原稿搬送装置の原稿読み取り領域Ｒ周辺の概念図である。
【符号の説明】
【００７４】
１  画像形成装置
１０  自動原稿搬送装置
１３  すくい上げ部材
１５  搬送ドラム
２０  原稿読取装置
１００  スリットガラス
１０１  光源
１０２、１０４、１０５  ミラー
１０６  結像レンズ
１０７  撮像素子
２０１  位置決めピン
２０２  位置決め穴
２０３  位置決め板
Ｌ、Ｌ１、Ｌ２  反射光
Ｒ  原稿読み取り領域
【図１】
2005156939.tif 000003
【図２】
2005156939.tif 000004
【図３】
2005156939.tif 000005